(57)【要約】      （修正有）【課題】操作性が良好で、しかも様々な外径のロッドを保持できる汎用性に優れたロッドホルダー装置を提供する。【解決手段】装置ケーシング２の前面及び上下面にロッドの出入用の切欠き２ａを形成し、その前面の切欠き２ａの両側の装置ケーシング２の前後面位置に斜めのガイド２ｂを下側が近接するように対向して形成し、その左右それぞれの前後のガイド２ｂ間にローラー３を枢支し、その左右のローラー３を一緒に下方へ付勢する引張バネ５を設け、左右のローラー３を一緒に上方へ移動させる紐６ａを設けた構造とする。【選択図】図１
2011021359.tif 000002
【特許請求の範囲】
【請求項１】
複数本を長尺に連結した削孔用のロッドを分離回収する際に削孔への落下を防止するためのロッドホルダー装置であって、装置ケーシングの前面及び上下面にロッド出入用の切欠きを形成し、その前面の切欠きの両側の装置ケーシング前後面位置に斜めのガイドを下側が近接するように対向して形成し、その左右それぞれの前後のガイド間にローラーを枢支し、その左右のローラーを一緒に下方へ付勢する付勢手段を設け、左右のローラーを手動操作で一緒に上方へ移動させる操作手段を設けたことを特徴とする、ロッドホルダー装置。
【請求項２】
付勢手段が、左右に横向きのガイドが形成された連動板をローラーの後側に配置し、その連動板のガイドに左右のローラーをそれぞれ枢支し、連動板と装置ケーシング内の下部との間に引張バネを取り付けたもので、操作手段が、連動板に引き上げ用の紐を止着して装置ケーシング外に引き出したものである、請求項１記載のロッドホルダー装置。
【請求項３】
装置ケーシングの上面に切欠きを開閉する開閉板を設けた、請求項１又は２記載のロッドホルダー装置。
【請求項４】
装置ケーシングの下部に地盤固定用の杭を設けた、請求項１〜３いずれか記載のロッドホルダー装置。
【発明の詳細な説明】
【技術分野】
【０００１】
本発明は、複数本を長尺に連結した削孔用のロッドを分離回収する際に削孔への落下を防止するためのロッドホルダー装置に関する。
【背景技術】
【０００２】
従来、地質調査や井戸掘削等の削孔工事においては、削孔作業後にロッドを分離回収する際、ロッドが削孔に落下しないようにロッドホルダー装置で保持している。このロッドホルダー装置としては、例えば特許文献１で開示されているものがある。この技術は、ロッド出入用の切欠きが形成されたケーシング内にロッドを挟持する左右一対の扇形の駒を軸支し、その左右の駒を開閉させる操作レバーと油圧シリンダーを設けた構造を特徴としている。
【０００３】
ところで、前記のロッドホルダー装置は、ロッドを引き上げる際に操作レバーで左右の駒をその都度開閉操作する必要があり、作業が煩わしいものであった。また、左右の駒は軸支位置が固定されているから、左右の駒の開閉幅が非常に小さくなり、ロッドの外径が限定されてしまう問題があった。そのため、外径が大きく異なるロッドを使用する場合は、そのロッドの外径に応じたロッドホルダー装置を別個に用意する必要があり、削孔工事にコストがかかっていた。
【先行技術文献】
【特許文献】
【０００４】
【特許文献１】実用新案登録第３０１０６９０号公報
【発明の概要】
【発明が解決しようとする課題】
【０００５】
本発明が解決しようとする課題は、従来のこれらの問題点を解消し、操作性が良好で、しかも様々な外径のロッドを保持できる汎用性に優れたロッドホルダー装置を提供することにある。
【課題を解決するための手段】
【０００６】
かかる課題を解決した本発明の構成は、
１）  複数本を長尺に連結した削孔用のロッドを分離回収する際に削孔への落下を防止するためのロッドホルダー装置であって、装置ケーシングの前面及び上下面にロッド出入用の切欠きを形成し、その前面の切欠きの両側の装置ケーシング前後面位置に斜めのガイドを下側が近接するように対向して形成し、その左右それぞれの前後のガイド間にローラーを枢支し、その左右のローラーを一緒に下方へ付勢する付勢手段を設け、左右のローラーを手動操作で一緒に上方へ移動させる操作手段を設けたことを特徴とする、ロッドホルダー装置
２）  付勢手段が、左右に横向きのガイドが形成された連動板をローラーの後側に配置し、その連動板のガイドに左右のローラーをそれぞれ枢支し、連動板と装置ケーシング内の下部との間に引張バネを取り付けたもので、操作手段が、連動板に引き上げ用の紐を止着して装置ケーシング外に引き出したものである、前記１）記載のロッドホルダー装置
３）  装置ケーシングの上面に切欠きを開閉する開閉板を設けた、前記１）又は２）記載のロッドホルダー装置
４）  装置ケーシングの下部に地盤固定用の杭を設けた、前記１）〜３）いずれか記載のロッドホルダー装置
にある。
【発明の効果】
【０００７】
本発明によれば、操作手段で左右のローラーを上方へ移動させると、ローラー間の間隔が広がる。この状態でロッドを装置ケーシングの切欠きに挿入し、ロッドホルダー装置を地盤に設置する。操作手段を離すと、付勢手段の付勢で左右のローラーが下方へ移動してロッドをクサビの作用で挟持し、削孔への落下が防止される。ロッドを引き上げると左右のローラーが回転し、円滑に引き抜かれて分離回収できる。ロッドの引き上げを中断すると、左右のローラーが付勢手段の付勢でロッドを再度挟持して落下が防止される。
【０００８】
このように、ロッドの動きのみで左右のローラーによる挟持とローラーの回転が切り替えられるから、従来技術のようにロッドの引き上げ操作とは別に行っていた駒の開閉操作が不要となり、作業性が改善される。また、駒の軸支位置が固定されていた従来技術と比較してローラー間の間隔を大きく広げることができ、様々な外径のロッドに適用できる汎用性に優れた装置となる。
【図面の簡単な説明】
【０００９】
【図１】実施例のロッドホルダー装置の正面図である。
【図２】実施例のロッドホルダー装置の平面図である。
【図３】図２のＡ−Ａ’線断面図である。
【図４】図１のＢ−Ｂ’線断面図である。
【図５】実施例のローラーの動きを示す説明図である。
【図６】実施例のロッドホルダー装置の使用状態を示す説明図である。
【図７】実施例のロッドホルダー装置の使用状態を示す説明図である。
【図８】実施例のロッドホルダー装置の使用状態を示す説明図である。
【発明を実施するための形態】
【００１０】
本発明の装置ケーシングのガイドとしては、装置ケーシングの側壁に開口を形成したものや、装置ケーシングの側壁の内面に溝を形成したものがある。付勢手段としては、前記２）記載の構成の引張バネの他、ゴムバンド等を用いることができる。左右のローラーは、挟持したロッドが滑らないように、外周面に滑り止め用の細かい凹凸を形成したものや、ゴム等の摩擦係数の大きい材質で構成したものを用いることができる。
【００１１】
また、前記３）記載の構成を具備すると、ロッドを左右のローラーで挟持している際に切欠きが開閉板で閉塞され、ロッドの外れが防止されて安全に作業できる。前記４）記載の構成を具備すると、ロッドボルダー装置を地盤に強固に固定でき、ロッドの引き上げ時にロッドホルダー装置が動き難くなり、作業が安定する。また、他の周辺機器に連結器具で連結して固定してもよい。
【実施例】
【００１２】
以下、本発明の実施例を図面に基づいて具体的に説明する。図１は実施例のロッドホルダー装置の正面図、図２は実施例のロッドホルダー装置の平面図、図３は図２のＡ−Ａ’線断面図、図４は図１のＢ−Ｂ’線断面図、図５は実施例のローラーの動きを示す説明図、図６〜８は実施例のロッドホルダー装置の使用状態を示す説明図である。
【００１３】
図中、１はロッドホルダー装置、２は装置ケーシング、２ａは切欠き、２ｂはガイド、２ｃはボルト、２ｄは開口、３はローラー、３ａは軸、４は連動板、４ａはガイド、５は引張バネ（付勢手段）、６はステー、６ａは紐（操作手段）、７は開閉板、７ａは切欠き、７ｂはボルト穴、７ｃは切欠き、８は蝶ナット、９は設置ベース、９ａは杭、Ａはロッド、Ｇは地盤、Ｇａは削孔である。
【００１４】
図１〜４に示すように、装置ケーシング２は箱型に形成し、その前面と上下面に切欠き２ａを連通するように形成し、上面の左右位置にはボルト２ｃを突設している。その前面の切欠き２ａの両側の前後面位置には、斜めのガイド２ｂを下側が近接するように逆ハの字状に対向して開口している。切欠き２ａの幅は、最大外径のロッドＡを挿入できる幅に形成し、ガイド２ｂの傾斜角度は水平に対しておよそ７０°に形成している。
【００１５】
ローラー３は両側に軸３ａを突設し、外周面の中央部はロッドＡの外面形状に合わせて凹ませた形状としている。このローラー３の軸３ａを装置ケーシング２の左右それぞれの前後のガイド２ｂ間に枢支している。左右のローラー３は、最上位置に移動した際、装置ケーシング２の切欠き２ａから露出しない外径に形成している。
【００１６】
左右のローラー３の後側には、横向きのガイド４ａが左右に開口された連動板４を配置し、その連動板４のガイド４ａにローラー３の軸３ａを枢支している。連動板４と装置ケーシング２内の底面との間には引張バネ５を取り付け、連動板４の上端にステー６を取り付け、装置ケーシング２の上面に開口２ｄを形成してステー６を突出させ、そのステー６の上端部に紐６ａを止着している。図５に示すように、紐６ａを上方へ引っ張ると、連動板４が上方へ移動するとともに、左右のローラー３がガイド４ａを横移動するとともにガイト２ｂに沿って斜め上方へ連動する。紐６ａを離すと、引張バネ５の付勢で連動板４と左右のローラー３が下方へ移動して元の位置に復帰する。
【００１７】
開閉板７は横長に形成し、中央部にはロッドＡの逃げとなる半円状の切欠き７ａを形成し、右側にはボルト穴７ｂを開口し、左側にはボルト２ｃと掛合する切欠き７ｃを形成している。この開閉板７のボルト穴７ｂと切欠き７ｃをボルト２ｃに掛けて装置ケーシング２の上面に配置し、２本の蝶ナット８で取り付けている。２本の蝶ナット８を緩めると、図２に示すように、右側が支点となって開閉板７が回動し、切欠き２ａの上部が開放されてロッドＡの出し入れが可能となる。ロッドＡを挿入して開閉板７を元の位置に戻し、２本の蝶ナット８を締めると、切欠き２ａの上部が閉塞されてロッドＡの外れが防止される。
【００１８】
本実施例では、２本の蝶ナット８を緩めて開閉板７を回動し、紐６ａを上方へ引っ張ると、左右のローラー３がガイド２ｂに沿って斜め上方へ移動してローラー３間の間隔が広がる。この状態でロッドＡを装置ケーシング２の切欠き２ａに挿入し、図６に示すように、杭９ａを備えた設置ベース９でロッドホルダー装置１を地盤Ｇに設置する。
【００１９】
開閉板７を元の位置に戻して２本の蝶ナット８を締め、紐６ａを離すと、左右のローラー３が引張バネ５の付勢によりガイド２ｂに沿って斜め下方へ移動し、ロッドＡを左右からクサビの作用で挟持する。図７に示すように、その状態でロッドＡを上方へ引き上げると左右のローラー３が回転し、ロッドＡを円滑に引き抜くことができる。ロッドＡの切り離しのために引き上げを中断すると、左右のローラー３は引張バネ５の付勢により下方へ移動してロッドＡを再度挟持し、その付勢が常に作用して削孔Ｇａへの落下が防止される。これを繰り返してロッドＡを分離回収する。
【００２０】
大径のロッドＡに使用する場合は、紐６ａをさらに引っ張ることで、図８に示すように、左右のローラー３が上方へさらに移動して間隔が大きく広がり、大径のロッドＡを挟持することができる。このように、ロッドＡの動きのみで左右のローラー３による挟持とローラー３の回転が切り替えられるから、従来技術と比較して作業性が改善された。また、駒の軸支位置が固定されていた従来技術と比較してローラー３間の間隔を大きく広げることができ、様々な外径のロッドＡに適用できる汎用性に優れた装置となった。
【産業上の利用可能性】
【００２１】
本発明の技術は、地質調査・井戸掘削・地盤強化等の削孔工事に利用される。
【符号の説明】
【００２２】
１  ロッドホルダー装置
２  装置ケーシング
２ａ  切欠き
２ｂ  ガイド
２ｃ  ボルト
２ｄ  開口
３  ローラー
３ａ  軸
４  連動板
４ａ  ガイド
５  引張バネ（付勢手段）
６  ステー
６ａ  紐（操作手段）
７  開閉板
７ａ  切欠き
７ｂ  ボルト穴
７ｃ  切欠き
８  蝶ナット
９  設置ベース
９ａ  杭
Ａ  ロッド
Ｇ  地盤
Ｇａ  削孔
【図１】
2011021359.tif 000003
【図２】
2011021359.tif 000004
【図３】
2011021359.tif 000005
【図４】
2011021359.tif 000006
【図５】
2011021359.tif 000007
【図６】
2011021359.tif 000008
【図７】
2011021359.tif 000009
【図８】
2011021359.tif 000010